(57)【要約】      （修正有）【課題】吸湿性、並びに吸臭性をもって、オンリーワンの独創的な家具において安価に、自由度を高めたものであって、安価で自然感をもたらされたデザイン性無機性化粧表面材を使用した家具を提供する。【解決手段】無機性化粧表面材６は、吸湿性、並びに吸臭性を高めた無機性であるバーミキュライトとケイ酸カルシウムが配合された基材からなり、その配合量が全組成物（固形分）の５〜７０質量％であって、その他石灰質材料と補強繊維を含有している無機性調湿材を主成分として平板の表面に特殊の装飾模様を呈している無機性平板を木質板に貼って構成され、家具は、この無機性化粧表面材が表面部に２０〜１００％割合で使用されている。【選択図】図１
0003222003.tif 000002
【実用新案登録請求の範囲】
【請求項１】
吸湿性、並びに吸臭性を高めた無機性であるバーミキュライトとケイ酸カルシウムからなる基材に配合されており、その配合量が全組成物（固形分）の５〜７０質量％であって、その他石灰質材料と補強繊維を含有している無機性調湿材を主成分として平板の表面に特殊の装飾模様を呈している無機性平板を木質板に貼った無機性化粧表面材が家具の表面部に２０〜１００％割合で使用されていることを特徴とする無機性化粧板を使用した家具。
【請求項２】
無機性調湿材を主成分として平板の表面に種々の装飾模様になっている無機性化粧表面材は、無機質性を表現する積み石タイプ、又は大理石タイプ、又はスクェアタイルタイプ、又はコンクリートタイプ、又はライムストーンタイプから選ばれた模様であって、厚さ５〜７ｍｍの無機性調湿材を主成分とした平板表層面の０．０１〜０．１ｍｍに無機顔料で描いた前記タイプの特殊模様を呈していることを特徴とする請求項１に記載の無機性化粧板を使用した家具。
【請求項３】
家具として、吸湿性、並びに吸臭性が望まれる家屋の箇所に設置される、引出、開き戸、引戸を持つ、キッチンボード、ＴＶボード、シューズボックス、サイドボード、チェストであって、前記家具の表面を構成している引出、開き戸、引戸の表面部及ぶカウンターテーブルの奧面部に無機性調湿材をフラシュボード、又はＭＤＦに張り付けた無機性化粧板になって、全体的な無機材から構成された家具様になっていることを特徴とする請求項１に記載の無機性化粧板を使用した家具。
【請求項４】
無機性化粧板は、１５〜３０ｍｍ厚さであって、木質材の２０〜２５ｍｍ厚さのフラシュボード、又は５〜２０ｍｍ厚さのＭＤＦにウレタン系、又は酢ビ系の接着剤によって５〜７ｍｍ厚さの無機性調湿材を貼り付けた状態になっており、家具の組み立ては天板、枠板、底板、側板を木質材で構成されていることを特徴とする請求項１、又は請求項２に記載の無機性化粧板を使用した家具。
【考案の詳細な説明】
【技術分野】
【０００１】本考案は、玄関、およびリビングルーム、及びキッチンルームなどで湿気、臭気が発生しやすく、また家庭の中心居住位置として設置される家具の表面に、デザイン性無機性調湿材モイス（商標登録名）を使用した家具に関するものである。
【背景技術】
【０００２】人の生活するに最適の環境・居住空間をもたらすことのできる調湿・脱臭機能を備えた家庭内部屋に設置した有用な木質板スノコにおいて、木質板の隙間を持たせて並べ合わせた板材面上に、各木質板材に凹彫り込み部空間を形成されるとともに、上記凹彫り込み部にバーミキュライトを使用した無機質調湿・吸湿材の板材を嵌着・装填している無機質調湿・吸湿材を嵌め込んだ木質板スノコが提案されている（特許文献１参照）。【０００３】木質板の隙間を持たせて並べ合わせた板材面上に、各木質板材の間隔面に凹部空間を形成されるとともに、上記凹部空間部に無機質調湿・吸湿材の板材を固着・装填していることを特徴とする無機質調湿・吸湿材を使用した木質板スノコで、無機質調湿・吸湿材の板材は、珪藻土の基材、又はバーミキュライトとケイ酸カルシウムからなる基材で、木質板の隙間を持たせて並べ合わせたスノコ状板材面の凹部空間部に装填して、木質板と交互に並んで構成されている無機質調湿・吸湿材を使用した木質板スノコを提案されている（特許文献２参照）。【０００４】リビングルームにおいて長時間使用されても、吸臭、及び吸湿の能力を持つ無機吸湿材料を持っている吸湿材付き装飾性テレビボードにおいて、木製の突板張り板、又は平板から製作された略長方形の箱体で、前面に棚付き開き戸と引き出しとテレビ積載台で構成されており、箱体内部の１〜４面にパーミキュライトとケイ酸カルシウムと繊維質材とを含む調湿材で、厚さ３〜６ｍｍで、高吸湿・吸臭性平板を張った収納内部で、１〜４箇所で開閉可能にしている吸湿材付き装飾性テレビボードを提供されている（特許文献３参照）。【０００５】キッチン関連用具を収納できる家具の端列には、特定の幅にした区画に、オープン棚を設けて、料理の操作性を考慮してトースター、電子レンジ、炊飯器、湯沸かし器、ホットプレートを上部から順次使用できる段位置にして、それぞれ棚をスライドカウンターになって、使用中には前面に出せるようにしたオープン棚部であって、前記オープン棚部の天井に無機質の消臭材・吸水材（モイス商品名）を張り付けているマルチダイニング収納家具が提案されている（特許文献４参照）。【０００６】動力源を用いずに、室内で洗濯物を乾燥させることができ、森林浴効果が期待でき、移動が可能な物干し用家庭家具を提供するにおいて、スリット入り杉材を使用した開きドア、又は引き違いドアを前面側に備えた物干し家具において、天板と下板に取り付けている乾燥部材は、可逆的に水分を除去できるゼオライト、活性炭、シリカ、珪藻土、漆喰、モイス（商標登録名）を平板に取り付けた木板であるスリット杉材を使用した室内用物干し家具が提案されている（特許文献５参照）。【０００７】キッチンパネルのレイアウト全体を所望のカラーパターンにデザインすることのできるキッチンパネル色コーディネートシステムを提供するために、ポインタをフロアユニットにおける一つの分割パネル区分に近づけて、ポインタと重なった分割パネル区分が分割区分枠で囲まれる。ユーザーはその場所でマウスをクリックし分割パネル区分を指定し、次にカラーサンプルから自分の好みに合った一つの色を選ぶ。色を決めると、ポインタがその色と重なった場所においてクリックすると、先ほど選択しておいた分割パネル区分の色が選んだ色へと変わるような操作を繰り返すことで、レイアウトを自分の好みに合ったデザインへと変更することが可能となる方法が提案されている（特許文献６参照）。【０００６】玄関、およびリビングルーム、及びキッチンルームなどで湿気、臭気が発生しやすく、また家庭の中心居住位置として設置される家具としては、無機性調湿材モイス（商標登録名）は家具内部には使用されている。しかし家具の感覚は従来と同じである。モイスを家具表面に使用して自然感を持たせて、以前にない無機質的感覚を持たせる無機素材を使用した家具、用具を設置することは、部屋の環境を変えて、自然感、木材と無機質感とをマッチさせた感覚を感じさせるデザイン性無機性調湿材モイス（商標登録名）を使用した表面の家具に仕上げて、世に中にこの模様のモイスが形状、色彩などで一つしかない家具表面である家具は存在していない。
【先行技術文献】
【特許文献】
【０００７】
【特許文献１】実用新案登録第３２１６３３１号公報
【特許文献２】実用新案登録第３２１１２９５号公報
【特許文献３】実用新案登録第３２０７１４３号公報
【特許文献４】実用新案登録第３１９８７３７号公報
【特許文献５】実用新案登録第３１９４２０２号公報
【特許文献６】特開２０１１−２４８５５４号公報
【考案の概要】
【考案が解決しようとする課題】
【０００８】吸湿性、並びに吸臭性を高めた無機性であるバーミキュライトとケイ酸カルシウムからなる基材に配合されており、その配合量が全組成物（固形分）の５〜７０質量％であって、その他石灰質材料と補強繊維を含有している無機性調湿材を主成分として平板、無機性調湿材モイス（商標登録名）を玄関、およびリビングルーム、及びキッチンルームなどで湿気、臭気が発生しやすく場所に置く家具に使用されているが、家具のイメジーを変える箇所、特に家具表面には取り付けていないのが、現状である。【０００９】家具としては、木質、樹脂製の特性を出させているものは多く存在しているが、無機質の材料をデザインで使用した家具はほとんど存在しない。とくに吸湿性、並びに吸臭性を備えて、無機質感覚を所持してデザインを保持した材料が望まれている。特に家具の顔に当たる家具表面に使用できる材料が種々検討されているが、モルタル、セメント、従来モイスなどで、無機質感覚と、吸湿・吸臭性兼ね備えた特性を保持した材料は今までに存在していなかった。吸湿性、並びに吸臭性を備えて、無機質感覚を所持してデザインを保持した材料を使用した家具を開発することを目的としている。【００１０】顧客が家具を購入する場合には，顧客は家具の表面、側面の板材模様を種々変えた、オンリーワンの商品を選択したいことがある。家具を部屋内に設置する環境（具体的には自分の家の居間等の部屋）に実際に家具全体の意匠とあわせて、その場に配置する模様若干変更したいこともある。部屋の環境、設置にマッチした家具を置いて、部屋全体の雰囲気を一新して、しかも家具として独創性ものが望まれている。そのために家具の表面前板の模様を選択するのが一般的である。しかし好みのデザインにすることによって，上記環境と調和のとれた木製家具から無機性感覚をもたらされている吸湿・吸臭性の無機質表面の装飾家具を購入することも期待されている。【００１１】玄関、およびリビングルーム、及びキッチンルームなどで湿気、臭気が発生しやすく、また家庭の中心居住位置として設置される家具としては、無機性調湿材モイス（商標登録名）は家具内部には使用されている。しかし家具の感覚は従来と同じである。モイスを家具表面に使用して自然感を持たせて、以前にない無機質的感覚を持たせる無機素材を使用した家具、用具を設置することは、部屋の環境を変えて、自然感、木材と無機質感とをマッチさせた感覚を感じさせるデザイン性無機性調湿材モイス（商標登録名）を使用した表面の家具を開発する。
【課題を解決するための手段】
【００１２】吸湿性、並びに吸臭性を高めた無機性であるバーミキュライトとケイ酸カルシウムからなる基材に配合されており、その配合量が全組成物（固形分）の５〜７０質量％であって、その他石灰質材料と補強繊維を含有している無機性調湿材を主成分として平板の表面に特殊の装飾模様を呈している無機性平板を木質板に貼った無機性化粧表面材が家具の表面部に２０〜１００％割合で使用されている無機性化粧板を使用した家具である。【００１３】無機性調湿材を主成分として平板の表面に種々の装飾模様になっている無機性化粧表面材は、無機質性を表現する積み石タイプ、又は大理石タイプ、又はスクェアタイルタイプ、又はコンクリートタイプ、又はライムストーンタイプから選ばれた模様であって、厚さ５〜７ｍｍの無機性調湿材を主成分とした平板表層面の０．０１〜０．１ｍｍに無機顔料で描いた前記タイプの特殊模様を呈している。【００１４】家具として、吸湿性、並びに吸臭性が望まれる家屋の箇所に設置される、引出、開き戸、引戸を持つ、キッチンボード、ＴＶボード、シューズボックス、サイドボード、チェストであって、前記家具の表面を構成している引出、開き戸、引戸の表面部及ぶカウンターテーブルの奧面部に無機性調湿材をフラシュボード、又はＭＤＦに張り付けた無機性化粧板になって、全体的な無機材から構成された家具様になっている。【００１５】無機性化粧板は、１５〜３０ｍｍ厚さであって、木質材の２０〜２５ｍｍ厚さのフラシュボード、又は５〜２０ｍｍ厚さのＭＤＦにウレタン系、又は酢ビ系の接着剤によって５〜７ｍｍ厚さの無機性調湿材を貼り付けた状態になっており、家具の組み立ては天板、枠板、底板、側板を木質材で構成されている。
【考案の効果】
【００１５】部屋の環境を変えて、自然感、木材と無機質感とをマッチさせた感覚を感じさせるデザイン性無機性調湿材モイス（商標登録名）を使用した表面の家具において、趣のある無機質観のあるデザイン性を備えたバーミキュライトとケイ酸カルシウムからなる吸湿・吸臭性の無機性調湿基材を表面に使用した家具は、部屋の模様、様式の趣を持たせて、吸湿・吸臭性と併せて自然感を多々酔わせる雰囲気にすることができた。またオンリーワンの独創的な家具全体において安価に、自由度を高めた吸湿・吸臭性のデザイン無機性調湿基材を使用したものであって、安価で自然感をもたらされる家具によって自然観を持つ部屋の状態にすることができた。【００１６】玄関、およびリビングルーム、及びキッチンルームなどで湿気、臭気が発生しやすく、また家庭の中心居住位置として設置される家具としては、無機性調湿材モイス（商標登録名）は家具内部には使用されて、無機質の趣を強調して模様において自然感をもたらせる家具に与えて、世になかにこの模様が一つしかない板面であることを自由に選択できるようになっている家具選択が可能になった。
【図面の簡単な説明】
【００１７】
【図１】無機性化粧板を使用した家具の斜視図である。
【図２】無機性化粧板を使用した家具の種類に関する図である。Ａ：キッチンボード、Ｂ：ＴＶボード、Ｃ：シューズボックス、Ｄ：チェスト
【図３】無機性化粧板の模様状態の図である。Ａ：積み石タイプ、Ｂ：大理石タイプ、Ｃ：スクェアタイルタイプタイプ、Ｄ：コンクリートタイプ、Ｅ：ライムストーンタイプ
【図４】無機性化粧板を使用した家具を使用した家具配置した室内平面図である。
【考案を実施するための形態】
【００１８】以下、本考案の実施形態について、図面を参照して説明する。図１は無機性化粧板を使用した家具の斜視図で、図２は、無機性化粧板の家具の図で、図３は無機性化粧板の種類の図で、図４は、無機性化粧板を使用した家具配置した室内平面図である。
【実施例１】
【００１９】図１に示すように、吸湿性、並びに吸臭性を高めた無機性であるバーミキュライトとケイ酸カルシウムからなる基材に配合されており、その配合量が全組成物（固形分）の５〜７０質量％であって、その他石灰質材料と補強繊維を含有している無機性調湿材を主成分として平板の表面に積み石タイプの装飾模様を呈している６ｍｍ厚さのモイス（商標登録品）無機性平板を木質板に貼った無機性化粧表面材が家具の表面部に８０％割合で使用されている無機性化粧板を使用した家具であった。【００２０】無機性調湿材を主成分として平板の表面に種々の装飾模様になっている無機性化粧表面材は、図３Ａに示すような無機質性の積み石タイプの模様であって、厚さ６ｍｍの無機性調湿材を主成分とした平板表層面の約０．０５ｍｍに無機顔料で描いた前記積み石タイプの模様を呈した。【００２１】図１に示すように家具として、吸湿性、並びに吸臭性が望まれる家屋の箇所に設置される、引出、開き戸、引戸を持つ、幅１８００ｍｍ、高さ２１００ｍｍ、奥行き４５０ｍｍのＴＶボードであって、前記家具の表面を積み石タイプの模様構成している引出、開き戸、引戸の表面部及ぶカウッターテーブルの奧面部に積み石タイプの模様無機性調湿材をフラシュボードに張り付けた無機性化粧板になって、全体的な無機材から構成された家具様になった。【００２２】無機性化粧板は、全体で３０ｍｍ厚さであって、木質材部を２４ｍｍ厚さのフラシュボードに酢ビ系の接着剤によって６ｍｍ厚さの無機性調湿材を貼り付けた状態になっており、家具の組み立ては天板、枠板、底板、側板を木質材で構成した。図４に示すような配置で家具を置いた。
【実施例２】
【００２３】図２Ａで示すようにキッチンボードを、吸湿性、並びに吸臭性を高めた無機性であるバーミキュライトとケイ酸カルシウムからなる基材に配合されており、その配合量が全組成物（固形分）の５〜７０質量％であって、その他石灰質材料と補強繊維を含有している無機性調湿材を主成分として木製平板フラッシュボードの表面に特殊の装飾模様を呈している無機性平板を木質板に貼った無機性化粧表面材が家具の表面部に約９０％割合で使用されている無機性化粧板を使用した家具であった。【００２４】前記改質モイス（商標名）である無機性調湿材を主成分として平板の表面に種々の装飾模様になっている無機性化粧表面材は、無機質性を表現する積み石タイプである模様品であって、厚さ６ｍｍの無機性調湿材を主成分とした平板表層面の０．０１〜０．０３ｍｍに無機顔料によって積み石模様で描いた前記タイプの特殊模様を呈した無機性調湿材をフラッシュボードの表面に張ったものであった。【００２５】キッチンボード家具として、吸湿性、並びに吸臭性が望まれる家屋の箇所に設置される、引出と引戸とを持つものであって、前記家具の表面を構成している引出、引戸の表面部及ぶカウッターテーブルの奧面部に無機性調湿材をフラシュボードに張り付けた無機性化粧板になって、全体的な無機材から構成された家具様になった。【００２６】無機性化粧板は、２６ｍｍ厚さであって、木質材の２０ｍｍ厚さのフラシュボードにウレタン系の接着剤によって６ｍｍ厚さの無機性調湿材を貼り付けた状態になっており、家具の組み立ては天板、枠板、底板、側板を無機性化粧板でない通常木質材で構成した。これをキッチンルームに配置した。今までにない重厚な感じのキッチンボードになった。
【実施例３】
【００２７】図２Ｄに示すように、吸湿性、並びに吸臭性を高めた無機性であるバーミキュライトとケイ酸カルシウムからなる基材に配合されており、その配合量が全組成物（固形分）の５〜７０質量％であって、その他石灰質材料と補強繊維を含有している無機性調湿材を主成分として平板の表面に特殊の装飾模様を呈している無機性平板を木質板に貼った無機性化粧表面材が家具の表面部に１００％割合で使用されている無機性化粧板を使用したチェスト家具であった。【００２８】無機性調湿材を主成分として平板の表面に種々の装飾模様になっている無機性化粧表面材は、無機質性を表現する積み石タイプ模様であって、厚さ６ｍｍの無機性調湿材を主成分とした平板表層面の０．０１〜０．０３ｍｍに無機顔料で描いた前記タイプの特殊模様を呈した。【００２９】チェスト家具として、前記家具の表面を構成している引出、の表面部に無機性調湿材をＭＤＦに張り付けた無機性化粧板になって、全体的な無機材から構成された無機性感覚の家具になった。【００３０】無機性化粧板は、２６ｍｍ厚さであって、木質材の２０ｍｍ厚さのＭＤＦに酢ビ系の接着剤によって６ｍｍ厚さの無機性調湿材を貼り付けた状態になっており、家具の組み立ては天板、枠板、底板、側板を木質材で構成されているチェストであった。
【符号の説明】
【００３１】１、家具
２、モイス無機性調湿材
３、表面
４．天面
５、側面
６．無機性調湿材化粧板
７．キッチンボード
８．木質材枠
９、模様
１０、引出
１１、引き戸
１２、開き戸
１３、カウンターテーブル
１４、ＴＶボード
１５、サイドボード
１６、チェスト
１７、シューズボックス
１８、棚
１９、壁
２０、床
２１、テーブル
２２、テレビ
【図１】
0003222003.tif 000003
【図２】
0003222003.tif 000004
【図３】
0003222003.tif 000005
【図４】
0003222003.tif 000006